(57)【特許請求の範囲】
【請求項１】
金属缶に包装するのに適したパーソナルケア組成物であって、前記組成物が安息香酸塩及びオキサゾリジンの組合せである腐蝕抑制剤を含むことを特徴とする前記組成物。
【請求項２】
安息香酸塩の量が組成物の全重量に基づいて０．０１〜５重量％であることを特徴とする請求の範囲第１項に記載の組成物。
【請求項３】
安息香酸塩が安息香酸ナトリウムであることを特徴とする請求の範囲第１項または第２項に記載の組成物。
【請求項４】
オキサゾリジンの量が組成物の全重量に基づいて０．００１〜５重量％であることを特徴とする請求の範囲第１項〜第３項のいずれか１項に記載の組成物。
【請求項５】
オキサゾリジンが４，４−ジメチル−１，３−オキサゾリジンであることを特徴とする請求の範囲第１項〜第４項のいずれか１項に記載の組成物。
【請求項６】
組成物の全重量に基づいて５〜３０重量％の界面活性剤及び２０〜８０重量％の水を含むエアゾールシャンプームースの形態であることを特徴とする請求の範囲第１項〜第５項のいずれか１項に記載の組成物。
【請求項７】
少なくとも１つのヘアスタイリングポリマーを含むヘアスタイリング組成物の形態であることを特徴とする請求の範囲第１項〜第５項のいずれか１項に記載の組成物。
【請求項８】
ブリキ缶に包装されていることを特徴とする請求の範囲第１項〜第７項のいずれか１項に記載の組成物。
【発明の詳細な説明】
【０００１】
（発明の分野）
本発明は、加圧式金属缶から分配されるスプレー可能なヘアトリートメント製品、例えばヘアスタイリングムース及びムースシャンプーに関する。
【０００２】
（背景及び従来技術）
ヘアトリートメント製品用デリバリーシステムとしてポンプやエアゾールのようなスプレー缶が広く使用されている。コスト及び環境の理由で水系組成物に移行するにつれて缶の腐蝕が特に問題視されつつある。
【０００３】
前記問題を解決する試みにおいて、アルミニウム缶が使用されている。残念ながら、アルミニウムは通常の錫メッキスチールほど経済的でない。更に、アルミニウム缶は腐蝕を受けやすい。
【０００４】
腐蝕は、例えば酷い錆やエアゾール組成物の場合には噴射剤の損失として現れる。更に、酸化は組成物の成分、例えばフレグランスを構成する成分を変換させる恐れがあり、その結果臭いに対して悪影響を与える。腐蝕がひどくなると、最後には内部のエアゾール製品が汚染されるだけでなく缶の漏出が生ずる恐れがある。
【０００５】
ブリキ缶では、腐蝕に対する若干の保護が、錫により、特に有意な量の水が存在しないときには与えられる。しかしながら、ムース（例えば、スタイリングムースまたはエアゾールシャンプー）のような形態の製品は通常有意な量の水を含有している。更に、ヘアスプレーのような水よりもむしろ有機溶媒をベースとする従来の系であっても、環境問題及びコストを考慮して有機溶媒の少なくとも一部を水で置換せざるを得ない。
【０００６】
更に、加圧式缶はバルブを必要とするが、前記バルブはバルブ材料が必ず組み立て過程で腐蝕攻撃の焦点となるかなりの応力を受けるので本質的に缶本体よりも腐蝕を受けやすい。
【０００７】
Ｂｏｕｌｄｅｎ，「水ベースのエアゾール組成物のための腐蝕抑制剤(Corrosion Inhibitors for Water-Based Aerosol Formulations)」，Ｓｐｒａｙ  Ｔｅｃｈｎｏｌｏｇｙ  ａｎｄ  Ｍａｒｋｅｔｉｎｇ（１９９３年４月）に記載されているように、腐蝕の問題が多くの水ベースのエアゾール組成物のたとえアルミニウム容器であっても容器への導入に対する障害となっており、この問題の一般的な解決法はない。
【０００８】
Ｒｏｃａｆｏｒｔ，「水ベースのエアゾールにおける腐蝕予防(Preventing Corrosion in Aqueous Based Aerosols)」，Ｓｐｒａｙ  Ｔｅｃｈｎｏｌｏｇｙ  ａｎｄ  Ｍａｒｋｅｔｉｎｇ（１９９５年１２月）は、エアゾール容器の内部の流体からの腐蝕を最小限とするための主なアプローチを概説しており、前記アプローチの１つは腐蝕抑制剤の配合である。前記文献は各種腐蝕抑制剤の典型例（リン酸塩、ケイ酸塩、重炭酸塩及びアミン）を記載しており、個別に試験した腐蝕抑制剤のスクリーニング結果も示している。「最適腐蝕解決法(optimum corrosion fix)」は特に同時に腐蝕抑制剤の相乗的組合せを使用することを含むと記載しているが、前記組合せの化学成分についての具体的ガイドラインは与えられていない。
【０００９】
ヘアスプレーの腐蝕抑制に対して効果的であると判明した系の例は水酸化アンモニウム、及び安息香酸ナトリウムとシクロヘキサミンの組合せである。更なる例は以下の特許明細書に記載されている。
【００１０】
米国特許第４，６０４，２２６号明細書は、シクロヘキサミン、モルホリン及びイソプロピルアミンから選択される揮発性アミンとアミン中和リン酸エステルの混合物から腐蝕抑制剤系を記載している。
【００１１】
米国特許第４，５８４，０２１号明細書は、腐蝕抑制剤系がニトロアルカンとアミン中和リン酸エステルの混合物である関連技術を記載している。
【００１２】
米国特許第４，２６３，２７５号明細書は、腐蝕防止剤が第４級アンモニウム化合物のリン酸塩である水−アルコール系加圧ヘアスプレー組成物を記載している。
【００１３】
米国特許第５，３４８，７３１号明細書は、スプレー可能なヘアトリートメント製品、特にヘアスプレーを収容するスチール缶パッケージに対して有効な腐蝕抑制剤としての安息香酸アンモニウムを記載している。前記安息香酸アンモニウムは好ましくは水酸化アンモニウムとの組合せで使用される。なぜならば、この組合せは単なる相加効果以上の効果を与えると言われている。
【００１４】
米国特許第４，６７３，５６９号明細書は、腐蝕抑制剤と併用したときに腐蝕を低減すると言われている長鎖ノニオン性エステルを含むムースヘア製品を記載している。
【００１５】
米国特許第５，４６２，７２７号明細書は、本質的に０．０５〜５％の安息香酸アルキル及び０．０１〜５％の有機ボレートから構成される腐蝕抑制剤を含む水性ヘアスプレー組成物を記載している。
【００１６】
国際特許出願公開第９４／１４５２８号パンフレットは、腐蝕抑制剤としての特定のビス−オキサゾリジン化合物の使用を記載している。
【００１７】
今回、本発明者らは安息香酸塩及びオキサゾリジンの組合せが特に効果的に腐蝕を抑制することを知見した。驚くことに、前記組合せは単なる相加効果以上の効果を与える。
【００１８】
（発明の要旨）
本発明は、金属缶に包装するのに適した、安息香酸塩及びオキサゾリジンの組合せである腐蝕抑制剤を含むパーソナルケア組成物を提供する。
【００１９】
（詳細説明）
安息香酸塩
本発明の好適な安息香酸塩の例には、アルカリ金属塩、アルカリ土類金属塩及びアンモニウム塩並びにその混合物が含まれる。安息香酸ナトリウムが特に好ましい。
【００２０】
安息香酸塩の量はパーソナルケア組成物の全重量に基づいて０．０１〜５重量％、好ましくは０．０５〜２重量％、最適には０．１〜１重量％であり得る。
【００２１】
オキサゾリジン
本発明の組成物は、オキサゾリジンの形態の別の腐蝕抑制剤を含む。オキサゾリジンは、アルデヒドを第１級アミノアルコールと反応させたときに生成される。
【００２２】
本発明で好適なオキサゾリジンの例には、単環式オキサゾリジン（例えば、４，４−ジメチル−１，３−オキサゾリジン及び３，４，４−トリメチル−１，３−オキサゾリジン）、二環式オキサゾリジン（例えば、１−アザ−３，７−ジオキサ−５−エチルビシクロ（３．３．０）オクタン）、及びその混合物が含まれる。特に好ましくは４，４−ジメチル−１，３−オキサゾリジンである。
【００２３】
上記物質はすべてＡＮＧＵＳ  Ｃｈｅｍｉｅ  ＧｍｂＨからＯＸＡＢＡＮ（登録商標）−Ａ、ＢＩＯＢＡＮ（登録商標）ＣＳ−１１３５、ＯＸＡＢＡＮ（登録商標）−Ｅ及びＢＩＯＢＡＮ（登録商標）ＣＳ−１２４６の商品名で市販されている。４，４−ジメチル−１，３−オキサゾリジンの水溶液であるＯＸＡＢＡＮ（登録商標）−Ａが特に好ましい。
【００２４】
オキサゾリジンの量はパーソナルケア組成物の全重量に基づいて０．００１〜５重量％、好ましくは０．００５〜１重量％、最適には０．０５〜０．２重量％であり得る。
【００２５】
製品形態
本発明の組成物は、ムース、ジェル、ローション、トニック、スプレー、シャンプー、コンディショナー、リンス、ハンドローション、ボディローション、フェーシャルモイスチャライザー、日焼け止め、にきび防止剤、シェービングフォーム、局所用鎮痛剤、マスカラ等を含めた各種製品に製品化され得る。
【００２６】
シャンプー組成物
本発明の腐蝕抑制剤はシャンプ組成物で特に有用である。
【００２７】
前記組成物は通常、クレンジング効果を与えるために少なくとも１つの界面活性剤を含むことを特徴とする。界面活性剤は、シリコーンのようなシャンプー組成物中に存在し得る乳化状コンディショニング剤に対する乳化剤として存在させてもよい。
【００２８】
乳化状コンディショニング剤に対する乳化剤だけでは十分なクレンジング効果が得られないならば、別の界面活性剤を追加のクレンジング成分として存在させる。この追加のクレンジング界面活性剤は乳化剤と同一の界面活性剤でも異なる界面活性剤でもよい。
【００２９】
好適な乳化剤は当業界で公知であり、アニオン性及びノニオン性界面活性剤が含まれる。乳化剤として使用されるアニオン性界面活性剤の例は、アルキルアリールスルホネート（例えば、ナトリウムドデシルベンゼンスルホネート）、アルキルスルフェート（例えば、ナトリウムラウリルスルフェート）、アルキルエーテルスルフェート（例えば、ナトリウムラウリルエーテルスルフェートｎＥＯ、ここでｎは１〜２０）、アルキルフェノールエーテルスルフェート（例えば、オクチルフェノールエーテルスルフェートｎＥＯ、ここでｎは１〜２０）、及びスルホスクシネート（例えば、ナトリウムジオクチルスルホスクシネート）である。
【００３０】
乳化剤として使用されるノニオン性界面活性剤の例は、アルキルフェノールエトキシレート（例えば、ノニルフェノールエトキシレートｎＥＯ、ここでｎは１〜５０）、アルコールエトキシレート（例えば、ラウリルアルコールエトキシレートｎＥＯ、ここでｎは１〜５０）、エステルエトキシレート（例えば、ポリオキシエチレンモノステアレート、ここでオキシエチレン単位の数は１〜３０）である。
【００３１】
クレンジング界面活性剤は、通常アニオン性、ノニオン性、両性及び双イオン性界面活性剤及びその混合物から選択される。
【００３２】
本発明の組成物のために好適なアニオン性クレンジング界面活性剤には、アルキルスルフェート、アルキルエーテルスルフェート、アルカアリールスルホネート、アルカノイルイセチオネート、アルキルスクシネート、アルキルスルホスクシネート、Ｎ−アルコイルサルコシネート、アルキルホスフェート、アルキルエーテルホスフェート、アルキルエーテルカルボキシレート、α−オレフィンスルホネート及びアシルメチルタウレート、特にそのナトリウム塩、マグネシウム塩、アンモニウム塩、及びモノ−、ジ−及びトリエタノールアミン塩が含まれる。アルキル及びアシル基は通常８〜１８個の炭素原子を含み、不飽和であってもよい。アルキルエーテルスルフェート、アルキルエーテルホスフェート及びアルキルエーテルカルボキシレートは１分子あたり１〜１０個のエチレンオキシドまたはプロピレンオキシド単位、好ましくは２〜３個のエチレンオキシド単位を含み得る。
【００３３】
好適なアニオン性界面活性剤の例には、ナトリウムラウリルスルフェート、ナトリウムラウリルエーテルスルフェート、アンモニウムラウリルスルホスクシネート、アンモニウムラウリルスルフェート、アンモニウムラウリルエーテルスルフェート、ナトリウムドデシルベンゼンスルホネート、トリエタノールアミンドデシルベンゼンスルホネート、ナトリウムココイルイセチオネート、ナトリウムラウロイルイセチオネート及びナトリウムＮ−ラウリルサルコシネートが含まれる。
【００３４】
本発明のシャンプー組成物に使用するのに適したノニオン性クレンジング界面活性剤には、脂肪族（Ｃ８−１８）１級または２級線状または分枝鎖アルコールまたはフェノールとアルキレンオキシド、通常エチレンオキシドの縮合生成物が含まれ得、通常６〜３０個のエチレンオキシド基を有する。他の好適なノニオン性界面活性剤には、アルキルポリグリコシド及びモノ−またはジアルキルアルカノールアミドが含まれる。後者のノニオン性界面活性剤の例には、ココモノ−またはジ−エタノールアミド及びココモノ−イソプロパノールアミドが含まれる。
【００３５】
本発明の組成物に使用するのに適した両性及び双イオン性クレンジング界面活性剤には、アルキルアミンオキシド、アルキルベタイン、アルキルアミドプロピルベタイン、アルキルスルホベタイン（スルタイン）、アルキルグリシネート、アルキルカルボキシグリシネート、アルキルアンホプロピオネート、アルキルアンホグリシネート及びアルキルアミドプロピルヒドロキシスルタインが含まれ得る。その例には、ラウリルアミンオキシド、ココジメチルスルホプロピルベタイン、及び好ましくはラウリルベタイン、ココアミドプロピルベタイン及びナトリウムココアンホプロピオネートが含まれる。
【００３６】
（コンディショニング剤用乳化剤として使用されるものも含めた）界面活性剤の総量は、シャンプー組成物の全重量に基づいて通常１〜５０重量％、好ましくは５〜３０重量％、より好ましくは１０〜２５重量％である。
【００３７】
シャンプー組成物は通常主に水性担体を含み、水は水不溶性コンディショニング剤の粒子が分散されている連続相を形成する。水の総量はシャンプー組成物の全重量に基づいて通常１０〜９９重量％、好ましくは２０〜８０重量％、より好ましくは４０〜７５重量％である。
【００３８】
本発明の特に好ましい製品形態は、上記した界面活性剤及び水を主成分とし、更にエアゾール噴射剤を含むエアゾールシャンプームースである。噴射剤により他の物質は容器から噴射される。
【００３９】
噴射剤ガスはエアゾール容器に対して慣用されている液化可能ガスであり得る。好適な噴射剤の例には、ジメチルエーテル、プロパン、ｎ−ブタン及びイソブタンが含まれ、これらは単独でまたは混合して使用される。噴射剤の他の例は窒素、二酸化炭素、圧縮空気、及びＤｕＰｏｎｔからＤＹＭＥＬ（登録商標）１５２ａの商品名で販売されている材料のようなフルオロ炭化水素である。
【００４０】
噴射剤ガスの量はエアゾール分野で公知の一般的な因子により支配される。ムースの場合、噴射剤の量はクリーミーな泡及び良好な感触のために通常約１〜約１５％、最適には約２〜約１０％である。
【００４１】
ヘアスタイリング組成物
本発明の腐蝕抑制剤は、ヘアスタイリング組成物で特に有用である。前記組成物は少なくとも１つのヘアスタイリングポリマーを含むことを特徴とする。
【００４２】
ヘアスタイリングポリマーは公知であり、ポリマーをカチオン性、アニオン性、両性またはノニオン性とする部分を含有する多くのポリマーが市販されている。前記ポリマーは合成物でも、天然物でもよい。
【００４３】
ポリマーの量は組成物の全量の０．５〜１０重量％、好ましくは０．７５〜６重量％の範囲であり得る。
【００４４】
アニオン性ヘアスタイリングポリマーの例は、
酢酸ビニルとクロトン酸のコポリマー；
酢酸ビニルとクロトン酸とα−分枝鎖飽和脂肪族モノカルボン酸のエステル（例えば、ネオデカン酸ビニル）のターポリマー；
炭素数１〜４の飽和アルコール（例えば、エタノールまたはブタノール）で５０％エステル化されている、モル比が約１：１のメチルビニルエーテルと無水マレイン酸のコポリマー；
アニオン性ラジカル含有部分としてのアクリル酸またはメタクリル酸と他のモノマー［例えば、アクリル酸またはメタクリル酸と１つ以上の炭素数１〜２２の飽和アルコールのエステル（例えば、メチルメタクリレート、エチルアクリレート、エチルメタクリレート、ｎ−ブチルアクリレート、ｔ−ブチルアクリレート、ｔ−ブチルメタクリレート、ｎ−ブチルメタクリレート、ｎ−ヘキシルアクリレート、ｎ−オクチルアクリレート、ラウリルメタクリレート及びベヘニルアクリレート）、アクリル酸またはメタクリル酸と１つ以上の炭素数１〜６のグリコールのエステル（例えば、ヒドロキシプロピルメタクリレート及びヒドロキシエチルアクリレート）、スチレン、ビニルカプロラクタム、酢酸ビニル、アクリルアミド、炭素数１〜８のアルキル基を有するアルキルアクリルアミド及びメタクリルアミド（例えば、メタクリルアミド、ｔ−ブチルアクリルアミド及びｎ−オクチルアクリルアミド）及び他の相容性不飽和モノマー］のアクリルコポリマー；
である。
【００４５】
前記ポリマーはポリジメチルシロキサンのようなグラフト化シリコーンをも含み得る。
【００４６】
好適なアニオン性ヘアスタイリングポリマーの具体例は、Ｎａｔｉｏｎａｌ  Ｓｔａｒｃｈから入手可能なＲＥＳＹＮ（登録商標）（酢酸ビニル／クロトン酸／ビニルネオデカノエートコポリマー）、ＢＡＳＦから入手可能なＵＬＴＲＡＨＯＬＤ（登録商標）８（ＣＴＦＡ名：アクリレート／アクリルアミドコポリマー）、ＩＳＰ  Ｃｏｒｐｏｒａｔｉｏｎから入手可能なＧＡＮＴＲＥＺ（登録商標）ＥＳシリーズ（メチルビニルエーテルと無水マレイン酸のエステル化コポリマー）である。
【００４７】
他の好適なアニオン性ヘアスタイリングポリマーにはカルボキシル化ポリウレタンが含まれる。カルボキシル化ポリウレタン樹脂はペンダントカルボキシル基を有する線状ヒドロキシ末端コポリマーである。前記樹脂の少なくとも１端がエトキシル化及び／またはプロポキシル化されていてもよい。カルボキシル基はカルボン酸基または炭素数１〜３のアルキル部分を有するエステル基であり得る。カルボキシル化ポリウレタン樹脂は、ＣＴＦＡ名がＰＶＰ／ポリカルバモイルポリグリコールエステルであるポリビニルピロリドンとポリウレタンのコポリマーであり得る。好適なカルボキシル化ポリウレタン樹脂は欧州特許出願公開第０  ６１９  １１１号明細書及び米国特許第５，０００，９５５号明細書に記載されている。他の好適な親水性ポリウレタンは米国特許第３，８２２，２３８号明細書、同第４，１５６，０６６号明細書、同第４，１５６，０６７号明細書、同第４，２５５，５５０号明細書及び同第４，７４３，６７３号明細書に記載されている。
【００４８】
ｔ−ブチルアミノエチルメタクリレートのようなモノマー由来のカチオン性基及びアクリル酸やメタクリル酸のようなモノマー由来のカルボキシル基を含み得る両性ポリマーも本発明で使用され得る。両性ヘアスタイリングポリマーの１つの具体例は、Ｎａｔｉｏｎａｌ  Ｓｔａｒｃｈ  ａｎｄ  Ｃｈｅｍｉｃａｌ  Ｃｏｒｐｏｒａｔｉｏｎから販売されているＡｍｐｈｏｍｅｒ（登録商標）（オクチルアクリルアミド／アクリレート／ブチルアミノエチルメタクリレートコポリマー）である。
【００４９】
ノニオン性ヘアスタイリングポリマーの例は、Ｎ−ビニルピロリドンのホモポリマー及びＮ−ビニルピロリドンと相容性ノニオン性モノマー（例えば、酢酸ビニル）のコポリマーである。異なる重量平均分子量を有するノニオン性Ｎ−ビニルピロリドンポリマーはＩＳＰ  Ｃｏｒｐｏｒａｔｉｏｎから市販されている。その具体例は、ＰＶＰ  Ｋ−９０の商品名で販売されている平均分子量が約６３０，０００のＮ−ビニルピロリドンのホモポリマー及びＰＶＰ  Ｋ−１２０商品名で販売されている平均分子量が約１，０００，０００のＮ−ビニルピロリドンのホモポリマーである。
【００５０】
他の好適なノニオン性ヘアスタイリングポリマーは架橋シリコーン樹脂またはガムである。その具体例には、欧州特許出願公開第２４０  ３５０号明細書に記載されているような硬質シリコーンポリマー及び国際特許出願公開第９８／３１１８８号パンフレットに記載されているような架橋シリコーンガムが含まれる。
【００５１】
カチオン性ヘアスタイリングポリマーの例は、アミノ官能基アクリレートモノマー（例えば、低級アルキルアミノアルキルアクリレート）またはメタクリレートモノマー（例えば、ジメチルアミノエチルメタクリレート）と相容性モノマー［例えば、Ｎ−ビニルピロリドン、ビニルカプロラクタム、アルキルメタクリレート（例えば、メチルメタクリレート及びエチルメタクリレート）及びアルキルアクリレート（例えば、エチルアクリレート及びｎ−ブチルアクリレート）］のコポリマーである。
【００５２】
好適なカチオン性ポリマーの具体例は、
Ｎ−ビニルピロリドンとジメチルアミノエチルメタクリレートのコポリマー、ＩＳＰ  ＣｏｒｐｏｒａｔｉｏｎからＣｏｐｏｌｙｍｅｒ  ８４５、Ｃｏｐｏｌｙｍｅｒ  ９３７及びＣｏｐｏｌｙｍｅｒ  ９５８として入手可能；
Ｎ−ビニルピロリドンとジメチルアミノプロピル（メタ）アクリルアミドのコポリマー、ＩＳＰ  ＣｏｒｐｏｒａｔｉｏｎからＳｔｙｌｅｚｅ（登録商標）ＣＣ１０として入手可能；
Ｎ−ビニルピロリドンとジメチルアミノエチルメタクリレートのコポリマー；  ビニルカプロラクタムとＮ−ビニルピロリドンとジメチルアミノエチルメタクリレートのコポリマー；
Ｐｏｌｙｑｕａｔｅｒｎｉｕｍ−４（ジアリルジモニウムクロリドとヒドロキシエチルセルロースのコポリマー）；
Ｐｏｌｙｑｕａｔｅｒｎｉｕｍ−１１（ビニルピロリドンとジメチルアミノエチルメタクリレートのコポリマーをジエチルスルフェートと反応させて製造される）、ＩＳＰ  ＣｏｒｐｏｒａｔｉｏｎからＧａｆｑｕａｔ（登録商標）７３４、７５５及び７５５Ｎ、ＢＡＳＦからＬｕｖｉｑｕａｔ（登録商標）ＰＱ１１として入手可能；
Ｐｏｌｙｑｕａｔｅｒｎｉｕｍ−１６（メチルビニルイミダゾリウムクロリド及びビニルピロリドンから製造される）、ＢＡＳＦからＬｕｖｉｑｕａｔ（登録商標）ＦＣ  ３７０、ＦＣ  ５５０、ＦＣ  ９０５及びＨＭ−５５２として入手可能；
Ｐｏｌｙｑｕａｔｅｒｎｉｕｍ−４６（ビニルカプロラクタム及びビニルピロリドンをメチルビニルイミダゾリウムメトスルフェートを反応させて製造される）、ＢＡＳＦからＬｕｖｉｑｕａｔ（登録商標）Ｈｏｌｄとして入手可能；
である。
【００５３】
好適な天然ポリマーの例には、セラック、アルギネート、ゼラチン、ペクチン、スターチ、セルロース誘導体、キトサン、またはその塩及び誘導体が含まれる。市販例には、Ａｍｅｒｃｈｏｌ製Ｋｙｔａｍｅｒ（登録商標）及びＮａｔｉｏｎａｌ  Ｓｔａｒｃｈ製Ａｍａｚｅ（登録商標）が含まれる。
【００５４】
上記ポリマーの幾つかでは、溶解性／分散性を高めるために数個の酸性基を中和する必要があることがある。好適な中和剤の例には、２−アミノ−２−メチル−１，３−プロパンジオール（ＡＭＰＤ）、２−アミノ−２−エチル−１，３−プロパンジオール（ＡＥＰＤ）、２−アミノ−２−メチル−１−プロパノール（ＡＭＰ）、２−アミノ−１−ブタノール（ＡＢ）、モノエタノールアミン（ＭＥＡ）、ジエタノールアミン（ＤＥＡ）、トリエタノールアミン（ＴＥＡ）、モノイソプロパノールアミン（ＭＩＰＡ）、ジイソプロパノールアミン（ＤＩＰＡ）、トリイソプロパノールアミン（ＴＩＰＡ）及びジメチルステアラミド（ＤＭＳ）が含まれる。米国特許第４，８７４，６０４号明細書に記載されているように、ステアラミドプロピルジメチルアミンまたはラウラミドプロピルジメチルアミンのような長鎖アミン中和剤を使用し得る。無機中和剤も好適であり、その例には水酸化ナトリウム、水酸化カリウム及びホウ砂が含まれる。前記中和剤の混合物を使用してもよい。中和剤の量は組成物の全量の約０．００１〜約１０重量％である。
【００５５】
ヘアスタイリング組成物は、典型的にはスプレー、ムース、ローションまたはジェルとして製品化され、エアゾールまたは非エアゾールのいずれの形態であつてもよい。エアゾール製品形態が望ましいときには、組成物中に噴射剤を配合しなければならない。好適な噴射剤はエアゾールシャンプームースに関連して上記されている。
【００５６】
ヘアスプレーの場合、噴射剤の量は通常ヘアスプレーの全重量に基づいて３〜８０重量％、好ましくは５〜６０重量％、最適には３０〜５０重量％である。
【００５７】
他の成分
本発明の組成物は、組成物の意図する用途に応じてパーソナルケア組成物に通常使用されている他の成分を含み得る。前記した他の成分には、デオドラント用静菌剤（例えば、トリクロサン）；発汗防止剤用制汗剤（例えば、アルミニウム塩またはジルコニウム塩）；洗髪後ヘアコンディショナー、ヘアまたはボディコンディショニングシャンプーやシェービングフォームのような皮膚または毛髪コンディショニング製品に対するコンディショニング剤（例えば、皮膚緩和薬、滑沢剤及びモイスチャライザー）；着色剤；制泡剤；酸化防止剤；フレグランス；殺菌剤；ヘアスタイリングポリマーのような成分に対する溶媒；及びサンスクリーン剤が含まれる。前記成分はそれぞれその目的を達成するのに有効な量で存在する。
【００５８】
本発明の組成物中の好ましい任意成分の例はヘアケアに適した助剤である。通常、前記した各成分は組成物の全量の２重量％まで、好ましくは１重量％までの量含まれる。
【００５９】
好適なヘアケア助剤の中には、
（ｉ）天然の毛根栄養素、例えばアミノ酸類、糖類及びビタミン類。好適なアミノ酸類の例にはアルギニン、システイン、グルタミン、グルタミン酸、イソロイシン、ロイシン、メチオニン、セリン及びバリン、及び／またはその前駆体及び誘導体が含まれる。アミノ酸は単独で、混合物で、またはジペプチドやトリペプチドのようなペプチドの形態で添加され得る。アミノ酸をタンパク質加水分解物、例えばケラチンまたはコラーゲン加水分解物の形態で添加してもよい。好適な糖類はグルコース、デキストロース及びフルクトースである。糖は単独で、または果実抽出物のような形態で添加され得る。本発明の組成物に配合するための天然毛根栄養素の特に好ましい組合せはイソロイシン及びグルコースである。特に好ましいアミノ酸栄養素はアルギニンである。
（ｉｉ）毛髪繊維有効物質。その例は、
繊維をモイスチャライズし、キューテイクルを完全な状態に維持するためのセラミド：セラミドは天然ソースから抽出することにより、または合成セラミドまたはシュードセラミドとして入手可能である。好ましいセラミドはＱｕｅｓｔ製Ｃｅｒａｍｉｄｅ  ＩＩである。Ｌａｂｏｒａｔｏｉｒｅｓ  Ｓｅｒｏｂｉｏｌｏｇｉｑｕｅｓ製Ｃｅｒａｍｉｄｅｓ  ＬＳのようなセラミド混合物も好適であり得る；
キューティクルを修復し、損傷を防止するための脂肪酸：その例は分枝鎖脂肪酸（例えば、１８−メチルエイコサン酸）及びこのシリーズの他の類似体、直鎖脂肪酸（例えば、ステアリン酸、ミリスチン酸及びパルミチン酸）、及び不飽和脂肪酸（例えば、オレイン酸、リノール酸、リノレイン酸及びアラキドン酸）である。好ましい脂肪酸はオレイン酸である。脂肪酸は単独で、混合物で、またはラノリンのような抽出物から誘導されるブレンドの形態で添加され得る；
がある。
【００６０】
上記した活性成分の混合物を使用してもよい。
【００６１】
下記非限定的実施例を参照して本発明を更に説明する。特記しない限り、記載されているパーセンテージはすべて全重量に基づく重量％である。
【００６２】
包装
本発明の組成物は任意の材料、特にアルミニウム、ブリキ、それらの混合物及び組合せから作成される容器に包装するのに適している。ブリキがコストの点でエアゾール缶用に特に好ましい。金属容器の場合、更に内面を腐蝕から保護するために、金属容器（及びバルブを備えた加圧金属缶の場合にはバルブ）の内面にプラスチック材料をラミネートするか或いはラッカーまたはワニスを塗布することが好ましい。ラミネート用の好ましい材料及び塗布用ラッカーまたはワニスはＭｉｃｏｆｌｅｘ（登録商標）、エポキシフェノール、ＰＡＭ、ＰＥＴ、ＰＰ、Ｆｅｒｒｏｌｉｔｅ（登録商標）またはその組合せである。
【００６３】
本発明を下記非限定的実施例により更に説明する。
【００６４】
（実施例）
コントロール組成物
下記成分を含むムースシャンプー基材を作成した。
【００６５】
【表１】
0004491180.tif 000002
【００６６】
腐蝕試験
上記コントロール組成物から、下記する各種腐蝕抑制剤を用いて複数の組成物を作成した。
【００６７】
【表２】
0004491180.tif 000003
【００６８】
腐蝕試験は、バルブカップを試験組成物中に浸漬し、５０℃で保存することを含んでいた。バルブカップは内部にエポキシフェノール外部ラッカー及び２００μｍのＰＰラミネートを含むブリキ製であった。
【００６９】
結果は、試験組成物Ｅを除くすべての試験組成物で２週間の保存後バルブカップの明らかな腐蝕を示した。試験組成物Ｅに浸漬したバルブカップは同一条件下で５週間保存後でも腐蝕の兆候を示さなかった。
【００７０】
コントロール組成物及び試験組成物Ｅを用いて別の腐蝕試験を実施した。各種コーティングを有するスチールベース缶部材を試験組成物に浸漬し、室温で３ヶ月間放置した。結果を下表に示す。
【００７１】
【表３】
0004491180.tif 000004
【００７２】
腐蝕結果のランク付け
５：完全、目に見える変化なし、
４：若干の色の変化が見られる、
３：著しい色の変化が見られる、
２：目に見える腐蝕点、
１：明らかな腐蝕。
【００７３】
コントロール組成物を用いた試験のいずれにおいても当該組成物は変色（錆色）し、粘度がなくなったのに対し、試験組成物Ｅを用いた試験のいずれにおいても当該組成物は変色を示さず、粘度も維持された。
【００７４】
第３の試験を加圧システムを用いて実施した。ＰＥＴラミネート本体及びＦｅｒｒｏｌｉｔｅ（登録商標）部材を含むブリキ缶に試験組成物を充填し、噴射剤（４．０％  Ｈｕｌｓ製Ｄｒｉｖｏｓｏｌ（登録商標）２．７）を添加した。使用した被験組成物はコントロール組成物及び試験組成物Ｆ（コントロール組成物＋０．１０％  ＯＸＡＢＡＮ（登録商標）Ａ）であった。
【００７５】
缶をそれぞれ３７℃及び５０℃で水平位置で３ヶ月間保存した。その後、コントロール組成物の存在下では部材の１つで腐蝕の兆候が見られた。対照的に、試験組成物Ｆではそのような変化が明らかでなかった。